(57)【特許請求の範囲】
【請求項１】
延長部（１）、天板（２）、前板（３）、底板（４）、後板（５）、第一糊代部（６）の順に連接し、延長部（１）と天板（２）の間、前板（３）と底板（４）の間、底板（４）と後板（５）の間にそれぞれ折り目を介し、後板（５）と糊代部（６）の間に切り目を介し、さらに底板（４）の両側部にそれぞれ、折返し板（８）、保持板（９）、第二糊代部（１０）の順にそれぞれ折り目を介して連接し、前板（３）と折返し板（８）により形成される二個所の角部、および後板（５）と折返し板（８）により形成される二個所の角部にそれぞれ折込み片（１２）を連接したものとし、前記保持板（９）を折り目から裏面側に折り返して、第二糊代部（１０）を底板（４）の裏面に接着させ、前記底板（４）および後板（５）を折り目から裏面側に巻き折りして、第一糊代部（６）を延長部（１）の裏面に接着させて筒状体（Ｐ）を形成し、この筒状体（Ｐ）の開放側部（Ｐａ）から容器（Ｂ）を差し込んだ状態にして、前記折返し板（８）を折込み片（１２）と共に折り目から底板（４）の裏面側に折り返し、前記保持板（９）を立ち上がらせて、この保持板（９）で前記容器（Ｂ）の側面下部を保持するようにした商品包装体であって、前記保持板（９）を外保持部（９ａ）と内保持部（９ｂ）を折り目を介して連接したものとし、この保持板（９）を立ち上がらせたときに、三角山形状になるようにし、さらに前記保持板（９）の外保持部（９ａ）の前後部に、それぞれ折り目を介して補強片（１４）を設けたことを特徴とする商品包装体。
【請求項２】
延長部（１）、天板（２）、前板（３）、底板（４）、後板（５）、第一糊代部（６）の順に連接し、延長部（１）と天板（２）の間、前板（３）と底板（４）の間、底板（４）と後板（５）の間にそれぞれ折り目を介し、後板（５）と糊代部（６）の間に切り目を介し、さらに底板（４）の両側部にそれぞれ、折返し板（８）、保持板（９）、第二糊代部（１０）の順にそれぞれ折り目を介して連接し、前板（３）と折返し板（８）により形成される二個所の角部、および後板（５）と折返し板（８）により形成される二個所の角部にそれぞれ折込み片（１２）を連接したものとし、前記保持板（９）を折り目から裏面側に折り返して、第二糊代部（１０）を底板（４）の裏面に接着させ、前記底板（４）および後板（５）を折り目から裏面側に巻き折りして、第一糊代部（６）を延長部（１）の裏面に接着させて筒状体（Ｐ）を形成し、この筒状体（Ｐ）の開放側部（Ｐａ）から容器（Ｂ）を差し込んだ状態にして、前記折返し板（８）を折込み片（１２）と共に折り目から底板（４）の裏面側に折り返し、前記保持板（９）を立ち上がらせて、この保持板（９）で前記容器（Ｂ）の側面下部を保持するようにした商品包装体であって、前記保持板（９）を外保持部（９ａ）と内保持部（９ｂ）を折り目を介して連接したものとし、この保持板（９）を立ち上がらせたときに、三角山形状になるようにし、前記保持板（９）の外保持部（９ａ）と内保持部（９ｂ）の間の折り目に、飛出し片（１３）を形成し、この飛出し片（１３）が保持板（９）を立ち上がらせたときに飛び出すようにし、さらに前記保持板（９）の外保持部（９ａ）の前後部に、それぞれ折り目を介して補強片（１４）を設けたことを特徴とする商品包装体。
【発明の詳細な説明】
【技術分野】
【０００１】
この発明は、化粧品等のボトル容器入りの商品を包装するのに適した商品包装体に関するものである。
【背景技術】
【０００２】
従来、この種の商品包装体としては、例えば、図９、１０に示したような簡易ホルダー（特許文献１）が存在する。
【０００３】
前記簡易ホルダーは、後板２１、底板２２、前板２３、天板２４、糊代部２５の順に折線を介してこれらを連接したものとしている。そして前記前板２３の四隅、前記後板２１の前記底板２２側の二隅、前記糊代部２５の前記天板２４側のニ隅にそれぞれ斜めの折線ｍ、ｍ’を設けている。さらに、前記底板２２と前記天板２４の両端部２６、２６’に前記斜めの折線ｍ、ｍ’に連結する前記折線と直行方向の折線ｎ、ｎ’を設けている。
【０００４】
このようにした前記簡易ホルダーは、前記糊代部２５を内側にして巻き折りして、前記天板２４と前記底板２２、前記前板２３と前記後板２１がそれぞれ対向する角柱状の筒状体３０を形成し、前記天板２４と前記底板２２の前記両端部２６，２６’を略９０°の角度で前記筒状体３０の内側にそれぞれ折り込んで係止させるようにした商品保持手段を構成したものとしている。
【先行技術文献】
【特許文献】
【０００５】
【特許文献１】特開平１０−７１３０号公報
【発明の概要】
【発明が解決しようとする課題】
【０００６】
前記特許文献１に示された商品包装体では、保持する商品Ｃの四隅が図１０に示されたように直角であれば、その商品Ｃを運搬したり、店頭等で陳列したりするときにも、前記したような商品保持手段で、その商品Ｃをガタつかせることなく保持しておくことができる。
【０００７】
しかしながら、保持する商品Ｃがボトルなどの容器入りで有る場合には、その容器の四隅が直角でない場合や、その容器の側面上部や側面下部が内側に入り込んでいる場合がある。このような場合、前記従来の商品包装体では、その商品Ｃの側面下部をしっかりと保持しておくことができず、商品Ｃを運搬したり、店頭等で陳列したりするときに、その商品Ｃがガタついてしまうという課題を有していた。
【０００８】
そこで、この発明は、保持する商品の四隅が直角でない場合や、保持する商品の側面下部が内側に入り込んでいる場合であっても、その商品を運搬したり、店頭等で陳列したりするときに、その商品をガタつかせることなく保持しておくことができ、また包装作業も簡単であり、店頭等での陳列効果に優れ、しかも自動製函機（サックマシン）で作製することのできる商品包装体を提供することを目的としてなされたものである。
【課題を解決するための手段】
【０００９】
この発明の商品包装体は、延長部１、天板２、前板３、底板４、後板５、第一糊代部６の順に連接し、延長部１と天板２の間、前板３と底板４の間、底板４と後板５の間にそれぞれ折り目を介し、後板５と糊代部６の間に切り目を介し、さらに底板４の両側部にそれぞれ、折返し板８、保持板９、第二糊代部１０の順にそれぞれ折り目を介して連接し、前板３と折返し板８により形成される二個所の角部、および後板５と折返し板８により形成される二個所の角部にそれぞれ折込み片１２を連接したものとし、前記保持板９を折り目から裏面側に折り返して、第二糊代部１０を底板４の裏面に接着させ、前記底板４および後板５を折り目から裏面側に巻き折りして、第一糊代部６を延長部１の裏面に接着させて筒状体Ｐを形成し、この筒状体Ｐの開放側部Ｐａから容器Ｂを差し込んだ状態にして、前記折返し板８を折込み片１２と共に折り目から底板４の裏面側に折り返し、前記保持板９を立ち上がらせて、この保持板９で前記容器Ｂの側面下部を保持するようにし、前記保持板９を外保持部９ａと内保持部９ｂを折り目を介して連接したものとし、この保持板９を立ち上がらせたときに、三角山形状になるようにし、さらに前記保持板９の外保持部９ａの前後部に、それぞれ折り目を介して補強片１４を設けたものとしている。
【００１０】
さらに、この発明の商品包装体は、延長部１、天板２、前板３、底板４、後板５、第一糊代部６の順に連接し、延長部１と天板２の間、前板３と底板４の間、底板４と後板５の間にそれぞれ折り目を介し、後板５と糊代部６の間に切り目を介し、さらに底板４の両側部にそれぞれ、折返し板８、保持板９、第二糊代部１０の順にそれぞれ折り目を介して連接し、前板３と折返し板８により形成される二個所の角部、および後板５と折返し板８により形成される二個所の角部にそれぞれ折込み片１２を連接したものとし、前記保持板９を折り目から裏面側に折り返して、第二糊代部１０を底板４の裏面に接着させ、前記底板４および後板５を折り目から裏面側に巻き折りして、第一糊代部６を延長部１の裏面に接着させて筒状体Ｐを形成し、この筒状体Ｐの開放側部Ｐａから容器Ｂを差し込んだ状態にして、前記折返し板８を折込み片１２と共に折り目から底板４の裏面側に折り返し、前記保持板９を立ち上がらせて、この保持板９で前記容器Ｂの側面下部を保持するようにし、前記保持板９を外保持部９ａと内保持部９ｂを折り目を介して連接したものとし、この保持板９を立ち上がらせたときに、三角山形状になるようにし、前記保持板９の外保持部９ａと内保持部９ｂの間の折り目に、飛出し片１３を形成し、この飛出し片１３が保持板９を立ち上がらせたときに飛び出すようにし、さらに前記保持板９の外保持部９ａの前後部に、それぞれ折り目を介して補強片１４を設けたものとしている。
【発明の効果】
【００１５】
この発明の商品包装体は、保持する商品の四隅が直角でない場合や、保持する商品の側面下部が内側に入り込んでいる場合であっても、その商品を運搬したり、店頭等で陳列したりするときに、その商品をガタつかせることなく保持しておくことができるものとなり、商品の包装が外れてしまったり、商品を破損したりすることがないものとなる。
【００１６】
さらに、この発明の商品包装体は、開放側部から差し込んだ商品を保持板で保持するだけでよいので、商品の包装作業が簡単なものとなる。
【００１７】
また、この発明の商品包装体は、延長部を各種の形状にデザインしたり、延長部に各種の印刷を施したりしておけるので、店頭等での陳列効果に優れたものとなる。
【００１８】
しかも、この発明の商品包装体は、一枚の合成樹脂シートなどからなるものとし、折り目を折り返したり、折り曲げたりすればよいので、自動製函機（サックマシン）で作製でき、量産化がし易いものとなった。
【図面の簡単な説明】
【００１９】
【図１】この発明の商品包装体の一実施形態を表面側から見た状態の展開図である。
【図２】図１に示すこの発明の商品包装体を裏面側から見た状態の展開図である。
【図３】この発明の商品包装体を組み立てた状態を示す斜視図である。
【図４】この発明の商品包装体の開放側部から容器を差し込む状態を示す説明図である。
【図５】この発明の商品包装体の開放側部から差し込んだ容器の下部を保持する順序を示す説明図である。
【図６】この発明の商品包装体で容器を包装し終わった状態を示す斜視図である。
【図７】この発明の商品包装体で容器を包装し終わった状態（容器は仮想線で示している）を示す断面図である。
【図８】この発明の商品包装体で包装した容器を取り出す状態を示す斜視図である。
【図９】従来の包装体の一例を示す展開図である。
【図１０】図９に示す従来の商品包装体の組み立て説明図である。
【発明を実施するための形態】
【００２０】
以下、この発明の商品包装体を実施するための一形態を、図面に基づいて詳細に説明する。
【００２１】
この発明の商品包装体は、図１、２に示すように、延長部１、天板２、前板３、底板４、後板５、第一糊代部６の順に連接してなる一枚の長尺状の合成樹脂製シートとしている。
【００２２】
前記延長部１と天板２の間、前板３と底板４の間、底板４と後板５の間には、それぞれ折り目ａ〜ｃを介し、前記後板５と糊代部６の間には切り目ｘを介している。この切り目ｘは、薄膜状の弱め線としたり、ミシン目などとして、手の指で引き裂けるようにしている。なお、前記天板２と前板３の間にも、必要に応じ、折り目を介したものとしてもよい。
【００２３】
前記延長部１は、図示したような略半円形とするなど、各種の形状にデザインしたり、各種の印刷を施したりしたものとすることができる。
【００２４】
前記天板２には、包装する商品が、ボトルなどの容器Ｂでネック部Ｂｎを有しているときには、そのネック部Ｂｎの保持孔Ｈを設けたものとしておける。
【００２５】
前記前板３および後板５の両側端の略中央部３ａ、５ａは、包装する容器Ｂが横幅の広いものである場合などには、その形状に応じて、図示したように湾曲状に飛び出させておくことができる。
【００２６】
前記底板４の両側部には、それぞれ、折返し板８、保持板９、第二糊代部１０の順にそれぞれ折り目ｄ〜ｆを介して連接している。
【００２７】
さらに、前記底板４の両側端寄りには、それぞれ略コ字状の切込みｐによって、持上げ片１１を形成し、後に述べるように保持板９を立ち上がらせるときに、この持上げ片１１を底板４の下方から手の指で押し上げることにより、保持板９を立ち上がらせ易くしている。
【００２８】
前記前板３と折返し板８により形成される二個所の角部、および前記後板５と折返し板８により形成される二個所の角部には、それぞれ折込み片１２を連接したものとしている。
【００２９】
前記保持板９は、図示したものでは、外保持部９ａと内保持部９ｂを折り目ｇを介して連接したものとしているが、この折り目ｇがないものとして外保持部９ａと内保持部９ｂを連接したものとしてもよい。なお、前記折り目ｇには、切込みｑを入れることによって飛出し片１３を形成し、この飛出し片１３が保持板９を立ち上がらせたとき、自動的に飛び出すようにしている。
【００３０】
さらに、前記保持板９の外保持部９ａの前後部には、それぞれ折り目ｈを介して補強片１４を設けたものとしている。
【００３１】
そして、この発明の商品包装体は、前記保持板９を折り目ｅから裏面側に折り返して、第二糊代部１０を底板４の裏面に接着させ、前記底板４および後板５を折り目ｂ、ｃから裏面側に巻き折りして、第一糊代部６を延長部１の裏面に接着させて、図３に示したような、延長部１を上方に突出した筒状体Ｐを形成する。なお、この場合、前記補強片１４も折り目ｈから折り曲げ、この補強片１４を前板３および後板５に接触するようにしている。
【００３２】
そこで、この発明の商品包装体は、包装する商品Ｃがボトルなどの容器で、その側面下部が内側に入り込んでいる容器では、図４〜７に示したようにして、その容器Ｂを包装するようにしている。
【００３３】
先ず、前記筒状体Ｐの開放側部Ｐａから、容器Ｂの上端を天板２に接触するようにし、容器Ｂの下端を底板４に接触するようにして、その容器Ｂを筒状体Ｐ内に差し込んだ状態にする。この場合、前記容器Ｂがネック部Ｂｎを有しているときには、図４に示したように容器Ｂを斜めにして、ネック部Ｂｎを天板２に設けた保持孔Ｈに差し込みながら、その容器Ｂを筒状体Ｐ内に差し込んだ状態にする。
【００３４】
次に、前記折返し片８を折込み片１２と共に折り目ｅから底板４の裏面側に折り曲げ、さらに前記保持板９を立ち上がらせる。この場合、図５（ａ）に示した状態から、持上げ片１１を底板４の下方から手の指で押し上げて保持板９を起こしつつ、折り目ｅを指で押さえて、図５（ｂ）に示したように、折返し片８を起こすと共に折込み片１２を曲げる。そして、折返し片８を折り目ｅから底板４の裏面側に折り返すと、図５（ｃ）に示したように、保持板９を立ち上がらせることができる。図示したものでは、前記保持板９は、外保持部９ａと内保持板９ｂとが折り目ｇにより折り曲げられることにより、三角山状に立ち上がったものとなるが、前記保持板９を折り目ｇがないものとして外保持部９ａと内保持部９ｂを連接したものとしている場合には、円形山状に立ち上がったものとなる。
【００３５】
このようにすると、図５（ｃ）に示した状態では、前記保持板９によって、前記容器Ｂの側面下部が保持されることになる。この場合、前記容器Ｂの側面下部が、内側に入り込んでいても、この入り込んだ部分に保持板９が入り込んで、この保持板９によって、前記容器Ｂの側面下部が保持されることになる。なお、前記保持板９は、外保持部９ａと内保持部９ｂとの寸法比を変えることにより、三角山状に立ち上がる角度を変えることができるので、その立ち上がる角度を前記容器Ｂの側面下部の内側への入り具合に合わせたものとすれば、その側面下部を効果的に保持できるようになる。
【００３６】
また、この発明の商品包装体は、前記容器Ｂの側面下部が曲面である場合には、この側面下部の曲面に内保持部９ｂが接触し、商品包装体に使用する合成樹脂製シートの可撓性によっては、その内保持部９ｂが容器Ｂの側面下部の曲面に沿って曲げられるので、接触面積が広くなり、その側面下部をより効果的に保持できるようになる。
【００３７】
さらに、前記保持板９が、飛出し片１３を形成したものである場合には、前記容器Ｂの側面下部にこの飛出し片１３も接触することにより、接触面積が広くなり、この容器Ｂの側面下部をよりいっそう効果的に保持することができるようになる。
【００３８】
また、前記保持板９の外保持部９ａに設けた補強片１４は、保持板９が容器Ｂの側面下部を保持しているときに、この容器Ｂの側面下部によって押し返されても、外保持部９ａが曲げられないように補強しており、前記容器Ｂの側面下部の保持力を維持できるようにしている。
【００３９】
そして、この発明の商品包装体は、包装した容器Ｂを取り出すには、延長部１と後板５を手の指で摘んで、図８に示したように、切り目ｘを引き裂き、容器Ｂのネック部Ｂｎを天板２の保持孔Ｈから引き抜けば、簡単に取り出すことができる。
【００４０】
なお、この発明の商品包装体は、保持する容器Ｂがネック部Ｂｎを有していないときは、前記底板４の両側部に実施した構造を、天板２の両側部にも実施することができ、この場合は、前記容器Ｂの側面上部も同時に保持しておくことができ、前記容器Ｂの側面下部を保持するのと同様の効果を得ることができる。
【００４１】
したがって、以上のように構成されたこの発明の商品包装体は、保持する商品の四隅が直角でない場合や、保持する商品の側面下部が内側に入り込んでいる場合であっても、その商品を運搬したり、店頭等で陳列したりするときに、その商品をガタつかせることなく保持しておくことができ、また包装作業も簡単であり、店頭等での陳列効果に優れ、しかも自動製函機（サックマシン）で作製することのできるものとなる。
【符号の説明】
【００４２】
１  延長部
２  天板
３  前板
４  底板
５  後板
６  第一糊代部
８  折返し板
９  保持板
９ａ  外保持部
９ｂ  内保持部
１０  第ニ糊代部
１１  持上げ片
１２  折込み片
１３  飛出し片
１４  補強片
Ｂ  容器
Ｂａ  ネック部
Ｈ  保持孔
Ｐ  筒状体
Ｐａ  開放側部
【図１】
0005618086.tif 000002
【図２】
0005618086.tif 000003
【図３】
0005618086.tif 000004
【図４】
0005618086.tif 000005
【図５】
0005618086.tif 000006
【図６】
0005618086.tif 000007
【図７】
0005618086.tif 000008
【図８】
0005618086.tif 000009
【図９】
0005618086.tif 000010
【図１０】
0005618086.tif 000011